(57)【要約】【課題】ストレート型ターミナを使用する場合と比べて、直列接続するＬＥＤモジュールの数を半分程度にし、ＬＥＤモジュールの順方向電圧の総和を半分に抑えながら、ＬＥＤモジュールとＬＥＤ駆動回路とを接続するワイヤハーネスの数も減少させることができるＬＥＤモジュール端子、これを用いた接続方法及び液晶画像表示装置を提供する。【解決手段】電圧の順方向に対して前に位置するＬＥＤモジュール２ａの複数のＬＥＤが直列接続する第１ラインＥ１と、電圧の順方向に対して後に位置するＬＥＤモジュール２ｂのリターン用パターンＲ２とを接続し、また、電圧の順方向に対して前に位置するＬＥＤモジュール２ａのリターン用パターンＲ１と、電圧の順方向に対して後に位置するＬＥＤモジュール２ｂの複数のＬＥＤが直列接続する第１ラインＥ２とを接続することで、従来の順方向の電圧の総和よりも約半分程度に抑える。【選択図】図６
2012004183.tif 000002
【特許請求の範囲】
【請求項１】
光源として用いる複数のＬＥＤが直列に接続される第１のラインと、電圧を帰還させる第２のラインとを有するＬＥＤモジュール同士を接続するＬＥＤモジュール端子であって、
第１のＬＥＤモジュールの前記第１のラインと、第２のＬＥＤモジュールの前記第２のラインとを接続し、
前記第１のＬＥＤモジュールの前記第２のラインと、前記第２のＬＥＤモジュールの前記第１のラインとを接続することを特徴とするＬＥＤモジュール端子。
【請求項２】
光源として用いる複数のＬＥＤが直列に接続される第１のラインと、電圧を帰還させる第２のラインとを有するＬＥＤモジュール同士を接続するＬＥＤモジュール端子を用いるＬＥＤモジュール接続方法であって、
第１のＬＥＤモジュールの前記第１のラインと、第２のＬＥＤモジュールの前記第２のラインとを接続する第１接続ステップと、
前記第１のＬＥＤモジュールの前記第２のラインと、前記第２のＬＥＤモジュールの前記第１のラインとを接続する第２接続ステップと、
駆動側第１番目に配置されるＬＥＤモジュールのアノードと、前記駆動側に最初に配置されるＬＥＤモジュールの第２のラインとを接続する第３接続ステップと、
を備えることを特徴とするＬＥＤモジュール接続方法。
【請求項３】
光源として用いる複数のＬＥＤが直列に接続される第１のラインと、電圧を帰還させる第２のラインとを有するＬＥＤモジュール同士を接続するＬＥＤモジュール端子を用いるＬＥＤモジュール接続方法であって、
第１のＬＥＤモジュールの前記第１のラインと、第２のＬＥＤモジュールの前記第２のラインとを接続する第１接続ステップと、
前記第１のＬＥＤモジュールの前記第２のラインと、前記第２のＬＥＤモジュールの前記第１のラインとを接続する第２接続ステップと、
駆動側最後に配置されるＬＥＤモジュールのカソードと、前記駆動側最後に配置されるＬＥＤモジュールの第２のラインとを接続する第３接続ステップと、
を備えることを特徴とするＬＥＤモジュール接続方法。
【請求項４】
複数のＬＥＤモジュールをバックライトとして使用する液晶画像表示装置であって、
請求項１に記載のＬＥＤモジュール端子を備え、
駆動側第１番目に配置されるＬＥＤモジュールのアノードと、前記駆動側に最初に配置されるＬＥＤモジュールの第２のラインとを接続することを特徴とする液晶画像表示装置。
【請求項５】
複数のＬＥＤモジュールをバックライトとして使用する液晶画像表示装置であって、
請求項１に記載のＬＥＤモジュール端子を備え、
駆動側最後に配置されるＬＥＤモジュールのカソードと、前記駆動側最後に配置されるＬＥＤモジュールの第２のラインとを接続することを特徴とする液晶画像表示装置。
【発明の詳細な説明】
【技術分野】
【０００１】
本発明は、液晶画像表示装置のバックライト光源に用いるＬＥＤモジュール端子、これを用いた接続方法及び液晶画像表示装置に関する。
【背景技術】
【０００２】
今日、液晶画像表示装置は、コンピュータ、テレビ、携帯電話、テレビ電話、ＰＤＡ等の表示装置に広く用いられている。しかし、液晶パネル自体は発光することができないため、バックライトの光線を介して表示機能を実現している。従来のバックライトは、複数のＬＥＤモジュールと、ＬＥＤモジュールを駆動する駆動回路とを備え、定電流制御されている。
【０００３】
通常、複数のＬＥＤモジュールは、光源としてのバックライトの輝度を均一に保つために直列接続され、液晶画像表示装置の画面に対応して幅方向に配置される。また、このように直列接続して連続してＬＥＤモジュールを配置することで、ＬＥＤモジュールを駆動する回路（ＬＥＤ駆動回路）や、ＬＥＤモジュールとＬＥＤ駆動回路とを接続するワイヤハーネスの数を減少させることができる。さらに、ＬＥＤモジュールは可能な限り直列接続された１つのユニット（チャンネル）としてまとめることで、液晶画像表示装置の製造コストを下げることができる。
【０００４】
このような複数のＬＥＤモジュール接続する方法として、複数のＬＥＤモジュールの直列接続毎に電圧が印加され点灯制御する技術が特許文献１及び２において提案されている。
【先行技術文献】
【特許文献】
【０００５】
【特許文献１】特開２００８−１０８５６４号公報
【特許文献２】特開２００５−１４２１３７号公報
【０００６】
上記のＬＥＤモジュールは、複数のＬＥＤ（Light Emitting Diode）が直列に接続されるライン（ＬＥＤ用パターン）と、電圧を帰還させるライン（リターン用パターン）とを有する。複数のＬＥＤモジュールが直列接続される場合、図９に示すように、ストレート型ターミナルＳ１が使用され、隣り合って接続するＬＥＤモジュール（２２ａ、２２ｂ）のＬＥＤパターン（ｋ１、ｋ２）同士及びリターン用パターン（Ｒ１，Ｒ２）同士が接続されて、複数のＬＥＤモジュールが直列接続されたユニット３３（チャンネル）が構成される。
【０００７】
液晶画像表示装置の画面サイズが大きくなるにつれて、バックライトを構成するＬＥＤモジュールの数も増加し、直列接続されたＬＥＤモジュールの順方向の電圧の総和も大きくなる。例えば、６０インチ程度の家庭用液晶画像テレビにおいて、従来のＬＥＤモジュールの直列接続を行った場合、直列接続されたＬＥＤモジュール１つのユニット（１チャンネル）を駆動するための駆動電圧（順方向電圧の総和）は、約３００Ｖを終える電圧値となる。このような場合には、ＬＥＤ駆動回路にも３００Ｖ以上の耐圧が必要である。同様に、使用される回路部品や、ＬＥＤモジュールとＬＥＤ駆動回路とを接続するワイヤハーネスについても、３００Ｖ以上の耐圧が要求され、製造コストが高くなるという課題がある。
【０００８】
このような問題に対し、図１０に示すように、リターン型ターミナルＳ２を追加し、直列接続されるＬＥＤモジュールの数を半分程度に減らし、直列接続するＬＥＤモジュールの順方向電圧の総和を半分にする技術が知られている。直列接続されるＬＥＤモジュールの１ユニット（１チャンネル）を２つに増やし順方向電圧の総和が半分になるため、ＬＥＤ駆動回路やワイヤハーネスにおける耐圧も半分になる。しかし、直列接続されるＬＥＤモジュールのユニット数（チャンネル数）が増加したため、ＬＥＤモジュールとＬＥＤ駆動回路との間を接続するワイヤハーネスの数が倍に増加してしまい、製造コストが高くなるという課題がある。
【発明の概要】
【発明が解決しようとする課題】
【０００９】
本発明は、上述のごとき実情に鑑みてなれたもので、ストレート型ターミナを使用する場合に比べて、直列接続するＬＥＤモジュールの数を半分程度にし、ＬＥＤモジュールの順方向電圧の総和を半分に抑えながら、ＬＥＤモジュールとＬＥＤ駆動回路とを接続するワイヤハーネスの数も減少させることができるＬＥＤモジュール端子、これを用いた接続方法及び液晶画像表示装置を提供することを目的とするものである。
【課題を解決するための手段】
【００１０】
上述した課題を解決するために本発明に係るＬＥＤモジュール端子の各構成は、次の通りである。
【００１１】
本発明のＬＥＤモジュール端子は、光源として用いる複数のＬＥＤが直列に接続される第１のラインと、電圧を帰還させる第２のラインとを有するＬＥＤモジュール同士を接続するＬＥＤモジュール端子であって、第１のＬＥＤモジュールの前記第１のラインと、第２のＬＥＤモジュールの前記第２のラインとを接続し、前記第１のＬＥＤモジュールの前記第２のラインと、前記第２のＬＥＤモジュールの前記第１のラインとを接続することを特徴とするものである。
【００１２】
また、本発明のＬＥＤモジュール接続方法は、光源として用いる複数のＬＥＤが直列に接続される第１のラインと、電圧を帰還させる第２のラインとを有するＬＥＤモジュール同士を接続するＬＥＤモジュール端子を用いるＬＥＤモジュール接続方法であって、第１のＬＥＤモジュールの前記第１のラインと、第２のＬＥＤモジュールの前記第２のラインとを接続する第１接続ステップと、前記第１のＬＥＤモジュールの前記第２のラインと、前記第２のＬＥＤモジュールの前記第１のラインとを接続する第２接続ステップと、駆動側第１番目に配置されるＬＥＤモジュールのアノードと、前記駆動側に最初に配置されるＬＥＤモジュールの第２のラインとを接続する第３接続ステップと、を備えることを特徴とするものである。
【００１３】
また、本発明のＬＥＤモジュール接続方法は、光源として用いる複数のＬＥＤが直列に接続される第１のラインと、電圧を帰還させる第２のラインとを有するＬＥＤモジュール同士を接続するＬＥＤモジュール端子を用いるＬＥＤモジュール接続方法であって、第１のＬＥＤモジュールの前記第１のラインと、第２のＬＥＤモジュールの前記第２のラインとを接続する第１接続ステップと、前記第１のＬＥＤモジュールの前記第２のラインと、前記第２のＬＥＤモジュールの前記第１のラインとを接続する第２接続ステップと、駆動側最後に配置されるＬＥＤモジュールのカソードと、前記駆動側最後に配置されるＬＥＤモジュールの第２のラインとを接続する第３接続ステップと、を備えることを特徴とするものである。
【００１４】
また、本発明の液晶画像表示装置は、複数のＬＥＤモジュールをバックライトとして使用する液晶画像表示装置であって、前記ＬＥＤモジュール端子を備え、駆動側第１番目に配置されるＬＥＤモジュールのアノードと、前記駆動側に最初に配置されるＬＥＤモジュールの第２のラインとを接続することを特徴とするものである。
【００１５】
また、本発明の液晶画像表示装置は、複数のＬＥＤモジュールをバックライトとして使用する液晶画像表示装置であって、前記ＬＥＤモジュール端子を備え、駆動側最後に配置されるＬＥＤモジュールのカソードと、前記駆動側最後に配置されるＬＥＤモジュールの第２のラインとを接続することを特徴とするものである。
【発明の効果】
【００１６】
本発明によれば、ＬＥＤモジュール端子は、光源として用いる複数のＬＥＤが直列に接続される第１のラインと、電圧を帰還させる第２のラインとを有するＬＥＤモジュール同士を接続するＬＥＤモジュール端子であって、第１のＬＥＤモジュールの前記第１のラインと、第２のＬＥＤモジュールの前記第２のラインとを接続し、前記第１のＬＥＤモジュールの前記第２のラインと、前記第２のＬＥＤモジュールの前記第１のラインとを接続することで、直列するＬＥＤモジュールの数を減少させることができ、ＬＥＤモジュールを駆動する電圧を抑えることができるので、高電圧を供給する基板等が不要になり、また、ＬＥＤモジュールの接続の組合せの多様化を広げ、輝度毎に異なる製品に応じた製品作りができるという優れた効果を奏し得る。
【００１７】
本発明によれば、ＬＥＤモジュール接続方法は、光源として用いる複数のＬＥＤが直列に接続される第１のラインと、電圧を帰還させる第２のラインとを有するＬＥＤモジュール同士を接続するＬＥＤモジュール端子を用いるＬＥＤモジュール接続方法であって、第１のＬＥＤモジュールの前記第１のラインと、第２のＬＥＤモジュールの前記第２のラインとを接続する第１接続ステップと、前記第１のＬＥＤモジュールの前記第２のラインと、前記第２のＬＥＤモジュールの前記第１のラインとを接続する第２接続ステップと、駆動側第１番目に配置されるＬＥＤモジュールのアノードと、前記駆動側に最初に配置されるＬＥＤモジュールの第２のラインとを接続する第３接続ステップと、を備えることで、ＬＥＤモジュールのアノード側のワイヤハーネスを共通化することができ、製品コストを下げることができるという優れた効果を奏し得る。
【００１８】
本発明によれば、ＬＥＤモジュール接続方法は、光源として用いる複数のＬＥＤが直列に接続される第１のラインと、電圧を帰還させる第２のラインとを有するＬＥＤモジュール同士を接続するＬＥＤモジュール端子を用いるＬＥＤモジュール接続方法であって、第１のＬＥＤモジュールの前記第１のラインと、第２のＬＥＤモジュールの前記第２のラインとを接続する第１接続ステップと、前記第１のＬＥＤモジュールの前記第２のラインと、前記第２のＬＥＤモジュールの前記第１のラインとを接続する第２接続ステップと、駆動側最後に配置されるＬＥＤモジュールのカソードと、前記駆動側最後に配置されるＬＥＤモジュールの第２のラインとを接続する第３接続ステップと、を備えることで、ＬＥＤモジュールのカソード側のワイヤハーネスを共通化することができ、製品コストを下げることができるという優れた効果を奏し得る。
【００１９】
本発明によれば、液晶画像表示装置は、複数のＬＥＤモジュールをバックライトとして使用する液晶画像表示装置であって、前記ＬＥＤモジュール端子を備え、駆動側第１番目に配置されるＬＥＤモジュールのアノードと、前記駆動側に最初に配置されるＬＥＤモジュールの第２のラインとを接続することで、ＬＥＤモジュールのアノード側のワイヤハーネスを共通化することができ、製品コストを下げることができるという優れた効果を奏し得る。
【００２０】
本発明によれば、液晶画像表示装置は、複数のＬＥＤモジュールをバックライトとして使用する液晶画像表示装置であって、前記ＬＥＤモジュール端子を備え、駆動側最後に配置されるＬＥＤモジュールのカソードと、前記駆動側最後に配置されるＬＥＤモジュールの第２のラインとを接続することで、ＬＥＤモジュールのカソード側のワイヤハーネスを共通化することができ、製品コストを下げることができるという優れた効果を奏し得る。
【図面の簡単な説明】
【００２１】
【図１】第１の実施形態に係るＬＥＤモジュール端子を備える液晶画像表示装置を示す概略図である。
【図２】第１の実施形態に係るＬＥＤモジュール端子を備える液晶画像表示装置を示す分解図である。
【図３】第１の実施形態に係るＬＥＤモジュール端子を備える液晶画像表示装置における、ＬＥＤ駆動回路とＬＥＤモジュールとを接続するワイヤハーネスを示す概略図である。
【図４】第１の実施形態に係るＬＥＤモジュール端子によって直列接続された複数のＬＥＤモジュールを示す概略図である。
【図５】第１の実施形態に係るＬＥＤモジュールの構成を示す概略図である。
【図６】第１の実施形態に係るＬＥＤモジュール端子によって直列接続された複数のＬＥＤモジュールの詳細な接続を示す概略図である。
【図７】第１の実施形態に係るＬＥＤモジュール端子を用いてＬＥＤモジュールのアノード同を共通化してＬＥＤモジュールを接続する方法を示す概略図である。
【図８】第２の実施形態に係るＬＥＤモジュール端子を用いてＬＥＤモジュールのカソード同士を共通化してＬＥＤモジュールを接続する方法を示す概略図である。
【図９】従来のストレート型ターミナルを用いて複数のＬＥＤモジュールを直列接続する方法の一例である。
【図１０】従来のリターン型ターミナルを用いて複数のＬＥＤモジュールを直列接続する方法の一例である。
【発明を実施するための形態】
【００２２】
［第１の実施形態］
次に、第１の実施形態に係るＬＥＤモジュール端子によって直列接続された複数のＬＥＤモジュールを備える液晶画像表示装置１００を説明する。図１は、本実施形態に係る液晶画像表示装置１００を示す概略図である。
【００２３】
液晶画像表示装置１００は、図１に示すように、画像を表示する液晶画像表示部１０１と、該液晶画像表示部を固定する液晶画像表示パネル１０３、装置１００の本体を支持する液晶画面脚部１０２を備える。
【００２４】
図２は、液晶画像表示装置１００の分解した分解図である。液晶画像表示装置１００は、図２に示すように、液晶画像表示部１０１、光学シート部１０４、端子部４０、ＬＥＤモジュールユニット１０、反射シート部１２０、基板パネル部３０に分解される。
【００２５】
基板パネル部３０は、図３に示すように、ＬＥＤ駆動回路基板９と、ワイヤハーネス８を備える。ＬＥＤ駆動回路基板９は、各ＬＥＤモジュール２を駆動するための回路である。ワイヤハーネス８は、複数のＬＥＤモジュール２が直列接続されたユニット（以下、“チャンネル”と称す）とＬＥＤ駆動回路基板９とを接続するための接続ケーブルである。
【００２６】
図４は、複数のＬＥＤモジュール２が直列接続されたチャンネル３を有するＬＥＤモジュールユニット１０と、基板パネル部３０とを重ねた状態を示す概略図である。図４に示すように、チャンネル３は、点線部で囲まれ描写されている。チャンネル３のＬＥＤモジュール２内に複数のＬＥＤ（Ｌ）含まれている。また、説明のため、ワイヤハーネス８は、基板パネル部３０に左右から引き出して表されている。
【００２７】
ＬＥＤモジュール２は、図５に示すように、複数のＬＥＤ（Ｌ；Ｌ１、Ｌ２、Ｌ３）、と、各ＬＥＤの検査用のピン（Ｐ：Ｐ１、Ｐ２、Ｐ３、Ｐ４）と、電圧の帰還用パターン（リターン用パターンＲ；Ｒ１）と、ＬＥＤモジュール２同士を接続する接続コネクタＣＮ（ＣＮ１、ＣＮ２）を備える。尚、第１の実施形態において、ＬＥＤの数は３としたが、これに限定されない。
【００２８】
次に、第１の実施形態に係るＬＥＤモジュール端子による複数のＬＥＤモジュール２の接続を説明する。
【００２９】
各ＬＥＤモジュール２（２ａ，２ｂ、２ｃ、２ｄ）は、複数のＬＥＤ（この場合、３つのＬＥＤ（Ｌ；Ｌ１〜Ｌ３））を備える。隣り合うＬＥＤモジュール２同士は、図６に示すように、ＬＥＤモジュール端子１によって接続され、チャンネル３が形成される。
【００３０】
電圧の順方向において、チャンネル３の最初に位置する第１番目のＬＥＤモジュール２ａは、ワイヤハーネス８と接続し、また、電圧の順方向に最後に位置するＬＥＤモジュール２ｎ（ｎは任意の整数）も別のワイヤハーネス８に接続する。
【００３１】
ＬＥＤモジュール端子１は、図６に示すように、接続するＬＥＤモジュール２の極性を反転させるクロス型タームナルである。すなわち、電圧の順方向に対して前に位置するＬＥＤモジュール（第１のＬＥＤモジュール２ａ）の複数のＬＥＤ（Ｌ１〜Ｌ３）が直列接続する第１ラインＥ１（ＬＥＤパターン）と、電圧の順方向に対して後に位置するＬＥＤモジュール（第２のＬＥＤモジュール２ｂ）の第２ラインＲ２（リターン用パターン）とを接続する。
【００３２】
また、ＬＥＤモジュール端子１は、電圧の順方向に対して前に位置するＬＥＤモジュール（第１のＬＥＤモジュール２ａ）の第２ライン（リターン用パターンＲ１）と、電圧の順方向に対して後に位置するＬＥＤモジュール（第２のＬＥＤモジュール２ｂ）の複数のＬＥＤ（Ｌ１〜Ｌ３）が直列接続する第１ラインＥ２（ＬＥＤパターン）とを接続する。
【００３３】
このように、ＬＥＤモジュール端子１によってＬＥＤモジュールが交互に接続されることによって、図９に示す従来のストレート型ターミナルを使用してＬＥＤモジュールが接続された場合の順方向の電圧の総和（従来のチャンネルの電圧値）よりも約半分程度に抑えることができる。
【００３４】
また、電圧の順方向において、チャンネル３を構成する第１番目のＬＥＤモジュール２ａの第１ラインＥ１（ＬＥＤパターン）のアノード側と、第２ライン（リターン用パターンＲ１）とを接続することで、第１番目のＬＥＤモジュール２ａのアノードＡ１側と、第２のＬＥＤモジュール２ｂのアノード側Ａ２とが接続される。このため、２つのＬＥＤモジュール（２ａ、２ｂ）によってワイヤハーネスを共通して使用（共通化）することで、図９に示す従来のストレート型ターミナルを使用してＬＥＤモジュールが接続された場合に用いられるワイヤハーネスの数によりも半分に削減することができる。
【００３５】
言い換えれば、図６に示すチャンネル３は、従来のストレート型ターミナルによって構成されるチャンネル（直列接続された複数のＬＥＤモジュール）が並列接続された形態を表わしている。
【００３６】
次に、図６に示した構成のチャンネル３とＬＥＤ駆動回路部６ａを用いる具体的な接続構成を説明する。
【００３７】
第１の実施形態に係るＬＥＤモジュール端子１を用いて接続されたＬＥＤモジュール２が直列に連なるチャンネル３とＬＥＤ駆動回路部６ａとの接続構成は、図７に示すように、接続される。尚、説明を簡潔にするため、図７では、２つのＬＥＤモジュール（２ａ、２ｂ）を有する１つのチャンネル３がＬＥＤ駆動回路部６ａに接続されているが、実際には複数のチャンネルが接続される。
【００３８】
ＬＥＤ駆動回路部６ａは、定電流制御を行うＬＥＤドライバ回路１１（１１ａ）、交流電源(図示せず）を整流して所定の電圧を出力するＬＥＤ電源回路部１５（１５ａ）、入力電圧を所定の電圧値に昇圧する昇圧回路部１６（１６ａ）と備える。
【００３９】
ＬＥＤドライバ回路１１ａは、チャンネル３ａのカソード側から出力される電流を制御する定電流回路１２（１２ａ）と、チャンネル３ｂのカソード側から出力される電流を制御する定電流回路１３と、該定電流回路１２、１３からの電流値に基づき昇圧回路部１６へ昇圧する電圧値を出力する制御回路１４（１４ａ）とを備える。
【００４０】
ＬＥＤ電源回路部１５ａは、交流電源の入力をトランス（図示せず）により増圧し、整流回路（図示せず）及び平滑回路（図示せず）で一定直流電圧を発生させている。その電圧をスイッチングレギュレータ（図示せず）により調整し、所定の電圧（定電圧Ｖ）を昇圧回路部１６ａに出力する。
【００４１】
昇圧回路部１６ａは、ＬＥＤ電源回路部１５ａからの所定の電圧（定電圧Ｖ）に基づき、制御回路１４ａから出力された昇圧するための電圧値に昇圧し、チャンネル３のＬＥＤモジュール２ａの共通化されたアノード側に出力する。
【００４２】
このようにＬＥＤモジュール２（２ａ、２ｂ）のアノードＡ１側が共通化して接続することで、ワイヤハーネス８の数が、従来のストレート型ターミナルを使用してＬＥＤモジュールが直列接続される場合に比べて半分に減らすことができ、製品コストを下げることができる。また、ＬＥＤモジュールの接続の組合せの多様化を広げ、輝度毎に異なる製品に応じた製品作りができる。
【００４３】
［第２の実施形態］
次に、第２の実施形態に係るＬＥＤモジュール端子１を用いたＬＥＤモジュール２（２ａ、２ｂ）の接続方法を説明する。
【００４４】
ＬＥＤモジュール２間のＬＥＤモジュール端子１の接続方法は、第１の実施形態と同じである。ＬＥＤモジュール端子１は、前後に位置するＬＥＤモジュール２の極性は反転するように交差して接続する。従って、第２の実施形態と異なる点を以下に説明する。
【００４５】
ＬＥＤモジュール端子１を用いて接続されたＬＥＤモジュール２が直列に連なるチャンネル３とＬＥＤ駆動回路部６（６ａ）との接続方法は、図８に示すように、順方向電圧における最後に位置するＬＥＤモジュール２ｂのカソード側Ｃ１のＬＥＤラインＥ４とリターン用パターンＲ２とが接続するような構成をとる。また、順方向電圧における第１番目のＬＥＤモジュール２ａのＬＥＤラインＥ３のアノード側Ａ１とリターン用パターンＲ１は互いに接続されず、個別にＬＥＤ駆動回路部６ｂに接続される。尚、説明を簡潔にするため、図７では、２つのＬＥＤモジュール（２ａ、２ｂ）を有する１つのチャンネル３がＬＥＤ駆動回路部６ｂに接続されているが、実際には複数のチャンネルが接続される。
【００４６】
また、図８に示すように、順方向電圧における最後に位置するＬＥＤモジュール２ｂのカソード側Ｃ１のＬＥＤラインＥ４とリターン用パターンＲ２とが接続したラインは、グラウンドＧに接地されている。
【００４７】
ＬＥＤ駆動回路部６ｂは、定電流制御を行うＬＥＤドライバ回路１１ｂ、１１ｃ、交流電源(図示せず）を整流して所定の電圧を出力するＬＥＤ電源回路部１５（１５ｂ）を備える。
【００４８】
それぞれのＬＥＤドライバ回路１１ｂ、１１ｃは、所定の電圧値に昇圧する昇圧回路部１６ｂ、１６ｃと、電流を制御する定電流回路１２ｂ、１２ｃと、定電流回路１２ｂ、１２ｃからの電流値に基づき昇圧回路部１６ｂ、１６ｃへ昇圧する電圧値を出力する制御回路１４ｂ、１４ｃと、を備える。
【００４９】
ＬＥＤドライバ回路１１ｂの定電流回路１２ｂは、順方向電圧における第１番目のＬＥＤモジュール２ａのリターン用パターンに接続する。一方、ＬＥＤドライバ回路１１ｃの定電流回路１２ｃは、順方向電圧における第１番目のＬＥＤモジュール２ａのアノード側Ａ１のＬＥＤラインＥ３と接続する。定電流回路１２ｂ、１２ｃは、それぞれ個別に電流値を検知して制御回路１４ｂ、１４ｃに出力する。
【００５０】
ＬＥＤ電源回路部１５ｂは、交流電源の入力をトランス（図示せず）により増圧し、整流回路（図示せず）及び平滑回路（図示せず）で一定直流電圧を発生させている。その電圧をスイッチングレギュレータ（図示せず）により調整し、所定の電圧（定電圧Ｖ）をＬＥＤドライバ回路部１１ｂ、１１ｃの昇圧回路部１６ｂ、１６ｃに出力する。
【００５１】
昇圧回路部１６ｂ、１６ｃは、ＬＥＤ電源回路部１５ｂからの所定の電圧（定電圧Ｖ）を基づき、制御回路１４ｂ、１４ｃから出力された昇圧するための電圧値に昇圧し、順方向電圧における第１番目のＬＥＤモジュール２ａのアノード側Ａ１のＬＥＤラインと、リターン用パターンにそれぞれ電圧を出力する。このようにＬＥＤ駆動回路部６ｂによって各ＬＥＤモジュールの定電流駆動が行われる。
【００５２】
このようにＬＥＤモジュールのカソード側が共通化して接続することで、ワイヤハーネス８の数が、従来のストレート型ターミナルを使用してＬＥＤモジュールが直列接続される場合に比べて半分に減らすことができ、製品コストを下げることができる。また、ＬＥＤモジュールの接続の組合せの多様化を広げ、輝度毎に異なる製品に応じた製品作りができる。
【００５３】
尚、液晶画像表示装置１００は、直下型バックライト光源方式を採用しているが、本発明は特に直下型バックライト光源方式に限らず、サイドエッジ光源方式であっても、駆動するＬＥＤモジュールが同じ形態であれば、同様に適用可能である。
【符号の説明】
【００５４】
１  ＬＥＤモジュール端子
２、２ａ、２ｂ、２ｃ、２ｄ  ＬＥＤモジュール
３  チャンネル
６、６ａ、６ｂ、  ＬＥＤ駆動回路部
８  ワイヤハーネス
９  ＬＥＤ駆動回路基板
１１、１１ａ、１１ｂ、１１ｃ  ＬＥＤドライバ回路部
１２、１２ａ、１２ｂ、１２ｃ  定電流回路部
１４、１４ａ、１４ｂ、１４ｃ  ＬＥＤ電源回路部
１５、１５ａ、１５ｂ  ＬＥＤ電源回路部
１６、１６ａ、１６ｂ、１６ｃ  昇圧回路部
１００  液晶画像表示装置
Ａ１  アノード側
Ｃ１  カソード側
Ｌ、Ｌ１、Ｌ２、Ｌ３  ＬＥＤ
Ｅ１、Ｅ２、Ｅ３、Ｅ４  ＬＥＤライン
Ｒ１、Ｒ２  リターン用パターン
【図１】
2012004183.tif 000003
【図２】
2012004183.tif 000004
【図３】
2012004183.tif 000005
【図４】
2012004183.tif 000006
【図５】
2012004183.tif 000007
【図６】
2012004183.tif 000008
【図７】
2012004183.tif 000009
【図８】
2012004183.tif 000010
【図９】
2012004183.tif 000011
【図１０】
2012004183.tif 000012